(57)【要約】通信データの具体的なフォーマットの事前知識が利用できない場合に、ワイヤレス通信データを効率よく処理するコンポーネントおよび方法が提供される。選択されたチャネルの通信データが、１組の予め決められたフォーマットの中から選択されるフォーマットのシステムタイムフレームで送信されるワイヤレス通信システムで使用するために、ワイヤレス送受信ユニット（ＷＴＲＵ）が構成される。このＷＴＲＵは、受信機、メモリ、受信チップレートプロセッサ（ＲＣＲＰ）、フォーマット検出器およびデインターリーバを備える。ＲＣＲＰは、好ましくは、最小拡散コードまたは他の適当なキーシーケンスを使って各タイムフレームで受け取られる各拡散データのワイヤレス信号を逆拡散し、結果として生じる各それぞれのタイムフレームごとの逆拡散データをメモリに格納するように構成される。フォーマット検出器は、好ましくは、各タイムフレームで受け取られる拡散データのワイヤレス信号の数の物理チャネルおよび各物理チャネルごとのそれぞれの拡散ファクタを決定するように構成される。デインターリーバは、好ましくは、各それぞれのタイムフレームごとにＲＣＲＰによって逆拡散される格納データを、そのそれぞれのタイムフレームについてフォーマット検出器によって決定される数の物理チャネルにデインターリービングするように構成される。
2006527511.tif 000002
【特許請求の範囲】
【請求項１】
ワイヤレス通信システムで使用するために構成したワイヤレス送受信ユニット（ＷＴＲＵ）であって、選択されたチャネルにおける通信データは、１組の予め決められたフォーマットの中から選択されたフォーマットのシステムタイムフレームで送信され、各フレームごとの通信データは、フォーマットが定義された数の物理チャネルへのセグメント化により当該タイムフレームのために選択されたフォーマットにおける送信のために準備され、続いて各物理チャネルごとに前記データがインターリービングされ、前記タイムフレームのために前記選択されたフォーマットにより指定されたすべての物理チャネルでの各拡散データが前記タイムフレームにおいてワイヤレス信号として送信されるように、各物理チャネルごとに前記インターリービングされたデータは、フォーマットが定義されたそれぞれの拡散コードおよびフォーマットが定義されたそれぞれの拡散率を用いて拡散され、前記１組の予め決められたフォーマットにおける前記フォーマットの１つの物理チャネルのために定義された最小拡散コードが存在し、該最小拡散コードは、前記１組の予め決められたフォーマットのうちの他のすべてのフォーマットの前記物理チャネルのすべてに定義された前記拡散コードのサブセットであるとき、前記ワイヤレス送受信ユニット（ＷＴＲＵ）は、
拡散データのワイヤレス信号における連続フレームを受信するように構成した受信機と、
メモリと、
前記最小拡散コードを使って各タイムフレームで受け取られる各拡散データのワイヤレス信号を逆拡散し、それぞれのタイムフレームごとに結果として生じる逆拡散データを前記メモリに格納するように構成した受信チップレートプロセッサ（ＲＣＲＰ）と、
それぞれのタイムフレームにおける前記受信信号の処理に基づいて、各タイムフレームで受け取られる前記拡散データのワイヤレス信号のために前記物理チャネルの数および各物理チャネルごとの前記それぞれの拡散ファクタを決定するように構成したフォーマット検出器と、
前記それぞれのタイムフレームについて前記フォーマット検出器により決定された前記物理チャネルの数および各物理チャネルごとのそれぞれの拡散ファクタに基づいて、それぞれのタイムフレームごとに前記受信チップレートプロセッサにより逆拡散された前記格納データを、前記決定された数の物理チャネルにデインターリービングするように構成したデインターリーバと、
を具備したことを特徴とするワイヤレス送受信ユニット。
【請求項２】
前記ワイヤレス送受信ユニット（ＷＴＲＵ）は、周波数分割複信（ＦＤＤ）アップリンク通信信号を受信するノードＢとして構成され、前記１組の予め決められたフォーマット内で定義される少なくとも２つの異なる長さのフォーマットが定義された拡散コードが存在し、前記１組の予め決められたフォーマットのすべてのフォーマットが定義された拡散コードは、最小拡散コードの１つまたは複数の繰り返しからなり、または前記最小拡散コードと同じ長さであることを特徴とする請求項１に記載の発明。
【請求項３】
前記受信チップレートプロセッサ（ＲＣＲＰ）は、それぞれの受信フレームのＣＣＴｒＣＨの種類のために、最高のデータ転送速度を持つそれぞれの選択ＴＦＣを使って、それぞれ予め決められたＴＦＣのＴＦＣＳを持つ複数の種類のＣＣＴｒＣＨを逆拡散するように構成され、前記フォーマット検出器は、前記それぞれのフレームの前記データをフォーマットする際に使用される実際のＴＦＣを決定するように構成されることを特徴とする請求項２に記載の発明。
【請求項４】
各データフレーム内でその送信データフレームの前記ＴＦＣを反映するＴＦＣＩが送信され、前記フォーマット検出器は各データフレームの前記ＴＦＣＩを検出することを特徴とする請求項３に記載の発明。
【請求項５】
前記フォーマット検出器は、ブラインドコードフォーマット検出を実施することを特徴とする請求項３に記載の発明。
【請求項６】
ワイヤレス通信システムの方法であって、選択されたチャネルにおける通信データは、１組の予め決められたフォーマットの中から選択されたフォーマットのシステムタイムフレームで送信され、各フレームごとの通信データは、フォーマットが定義された数の物理チャネルへのセグメント化により当該タイムフレームのために選択されたフォーマットにおける送信のために準備され、続いて各物理チャネルごとに前記データがインターリービングされ、前記タイムフレームのために前記選択されたフォーマットにより指定されたすべての物理チャネルでの各拡散データが前記タイムフレームにおいてワイヤレス信号として送信されるように、各物理チャネルごとに前記インターリービングされたデータは、フォーマットが定義されたそれぞれの拡散コードおよびフォーマットが定義されたそれぞれの拡散率を用いて拡散され、前記１組の予め決められたフォーマットにおける前記フォーマットの１つの物理チャネルのために定義された最小拡散コードが存在し、該最小拡散コードは、前記１組の予め決められたフォーマットのうちの他のすべてのフォーマットの前記物理チャネルのすべてに定義された前記拡散コードのサブセットであるとき、前記方法は、
拡散データのワイヤレス信号の連続フレームを受信すること、
前記最小拡散コードを用いて各タイムフレームで受け取られる各拡散データのワイヤレス信号を逆拡散し、結果として生じる各それぞれのタイムフレームごとの逆拡散データをメモリに格納すること、
それぞれのタイムフレームにおける前記受信信号の処理に基づいて、各タイムフレームで受け取られる前記拡散データのワイヤレス信号のために前記物理チャネルの数および各物理チャネルごとの前記それぞれの拡散ファクタを決定すること、および、
前記それぞれのタイムフレームについて決定された前記物理チャネルの数および各物理チャネルごとのそれぞれの拡散ファクタに基づいて、それぞれのタイムフレームごとに逆拡散された前記格納データを前記決定された数の物理チャネルにデインターリービングすること、
を含むことを特徴とする方法。
【請求項７】
前記受信信号は周波数分割複信（ＦＤＤ）アップリンク通信信号であり、前記１組の予め決められたフォーマット内で定義される少なくとも２つの異なる長さのフォーマットが定義された拡散コードが存在し、前記１組の予め決められたフォーマットのすべてのフォーマットが定義された拡散コードは、最小拡散コードの１つまたは複数の繰り返しからなり、または前記最小拡散コードと同じ長さであることを特徴とする請求項６に記載の方法。
【請求項８】
それぞれの受信フレームのＣＣＴｒＣＨの種類のために、それぞれ予め決められたＴＦＣのＴＦＣＳを持つ複数の種類のＣＣＴｒＣＨが、最高のデータ転送速度を持つそれぞれの選択ＴＦＣを使って逆拡散され、各タイムフレームで受け取られる前記拡散データのワイヤレス信号の前記数の物理チャネルおよび各物理チャネルごとの前記それぞれの拡散ファクタを決定するために、前記それぞれのフレームの前記データをフォーマットする際に使用される実際のＴＦＣが検出されることを特徴とする請求項７に記載の方法。
【請求項９】
各データフレーム内でその送信データフレームの前記ＴＦＣを反映するＴＦＣＩが送信され、前記フォーマットは各データフレームの前記ＴＦＣＩを検出することによって決定されることを特徴とする請求項８に記載の方法。
【請求項１０】
各フレームごとの前記実際のＴＦＣは、ブラインドコードフォーマット検出を使って決定されることを特徴とする請求項８に記載の発明。
【請求項１１】
ワイヤレス送受信ユニット（ＷＴＲＵ）のための特定用途向け集積回路（ＡＳＩＣ）であって、該ワイヤレス送受信ユニット（ＷＴＲＵ）はワイヤレス通信システムで使用され、選択されたチャネルにおける通信データが１組の予め決められたフォーマットの中から選択されたフォーマットのシステムタイムフレームで送信され、各フレームごとの通信データは、フォーマットが定義された数の物理チャネルへのセグメント化により当該タイムフレームのために選択されたフォーマットにおける送信のために準備され、続いて各物理チャネルごとに前記データがインターリービングされ、前記タイムフレームのために前記選択されたフォーマットにより指定されたすべての物理チャネルでの各拡散データが前記タイムフレームにおいてワイヤレス信号として送信されるように、各物理チャネルごとに前記インターリービングされたデータは、フォーマットが定義されたそれぞれの拡散コードおよびフォーマットが定義されたそれぞれの拡散率を用いて拡散され、前記１組の予め決められたフォーマットにおける前記フォーマットの１つの物理チャネルのために定義された最小拡散コードが存在し、該最小拡散コードは、前記１組の予め決められたフォーマットのうちの他のすべてのフォーマットの前記物理チャネルのすべてに定義された前記拡散コードのサブセットであり、記ワイヤレス送受信ユニット（ＷＴＲＵ）が、拡散データのワイヤレス信号における連続フレームを受信するように構成した受信機を有するとき、前記特定用途向け集積回路（ＡＳＩＣ）は、
メモリと、
前記最小拡散コードを使って各タイムフレームで受け取られる各拡散データのワイヤレス信号を逆拡散し、それぞれのタイムフレームごとに結果として生じる逆拡散データを前記メモリに格納するように構成した受信チップレートプロセッサ（ＲＣＲＰ）と、
それぞれのタイムフレームにおける前記受信信号の処理に基づいて、各タイムフレームで受け取られる前記拡散データのワイヤレス信号のために前記物理チャネルの数および各物理チャネルごとの前記それぞれの拡散ファクタを決定するように構成したフォーマット検出器と、
前記それぞれのタイムフレームについて前記フォーマット検出器により決定された前記物理チャネルの数および各物理チャネルごとのそれぞれの拡散ファクタに基づいて、それぞれのタイムフレームごとに前記受信チップレートプロセッサにより逆拡散された前記格納データを、前記決定された数の物理チャネルにデインターリービングするように構成したデインターリーバと、
を具備したことを特徴とする特定用途向け集積回路。
【請求項１２】
周波数分割複信（ＦＤＤ）アップリンク通信信号を受信するノードＢのために構成され、前記１組の予め決められたフォーマット内で定義される少なくとも２つの異なる長さのフォーマットが定義された拡散コードが存在し、前記１組の予め決められたフォーマットのすべてのフォーマットが定義された拡散コードは、最小拡散コードの１つまたは複数の繰り返しからなり、または前記最小拡散コードと同じ長さであることを特徴とする請求項１１に記載の特定用途向け集積回路。
【請求項１３】
前記受信チップレートプロセッサ（ＲＣＲＰ）は、それぞれの受信フレームのＣＣＴｒＣＨの種類のために、最高のデータ転送速度を持つそれぞれの選択ＴＦＣを使って、それぞれ予め決められたＴＦＣのＴＦＣＳを持つ複数の種類のＣＣＴｒＣＨを逆拡散するように構成され、前記フォーマット検出器は、前記それぞれのフレームの前記データをフォーマットする際に使用される実際のＴＦＣを決定するように構成されることを特徴とする請求項１２に記載の特定用途向け集積回路。
【請求項１４】
各データフレーム内でその送信データフレームの前記ＴＦＣを反映するＴＦＣＩが送信され、前記フォーマット検出器は各データフレームの前記ＴＦＣＩを検出することを特徴とする請求項１３に記載の特定用途向け集積回路。
【請求項１５】
前記フォーマット検出器は、ラインドコードフォーマット検出を実施することを特徴とする請求項１３に記載の特定用途向け集積回路。
【請求項１６】
ワイヤレス通信システムで使用するために構成したワイヤレス送受信ユニット（ＷＴＲＵ）であって、選択されたチャネルにおける通信データは、１組の予め決められたフォーマットの中から選択されたフォーマットのシステムタイムフレームで送信され、各フレームごとの通信データは、フォーマットが定義された数の物理チャネルへのセグメント化により当該タイムフレームのために選択されたフォーマットにおける送信のために準備され、続いて各物理チャネルごとに前記データがインターリービングされ、前記タイムフレームのために前記選択されたフォーマットにより指定されたすべての物理チャネルでの各拡散データが前記タイムフレームにおいてワイヤレス信号として送信されるように、各物理チャネルごとに前記インターリービングされたデータは、フォーマットが定義されたそれぞれの拡散コードおよびフォーマットが定義されたそれぞれの拡散率を用いて拡散され、前記１組の予め決められたフォーマットにおける全てのフォーマットの前記物理チャネルのすべてに対して定義される前記拡散コードを逆拡散するのに使用可能なキーシーケンスが存在するとき、前記ワイヤレス送受信ユニット（ＷＴＲＵ）は、
拡散データのワイヤレス信号における連続フレームを受信するように構成した受信機と、
メモリと、
前記キーシーケンスを使って各タイムフレームで受け取られる各拡散データのワイヤレス信号を逆拡散し、それぞれのタイムフレームごとに結果として生じる逆拡散データを前記メモリに格納するように構成した受信チップレートプロセッサ（ＲＣＲＰ）と、
それぞれのタイムフレームにおける前記受信信号の処理に基づいて、各タイムフレームで受け取られる前記拡散データのワイヤレス信号のために前記物理チャネルの数および各物理チャネルごとの前記それぞれの拡散ファクタを決定するように構成したフォーマット検出器と、
前記それぞれのタイムフレームについて前記フォーマット検出器により決定された前記物理チャネルの数および各物理チャネルごとのそれぞれの拡散ファクタに基づいて、それぞれのタイムフレームごとに前記受信チップレートプロセッサにより逆拡散された前記格納データを、前記決定された数の物理チャネルにデインターリービングするように構成したデインターリーバと、
を具備したことを特徴とするワイヤレス送受信ユニット。
【発明の詳細な説明】
【技術分野】
【０００１】
本発明は、一般に、ワイヤレス通信のデータ処理に関し、より詳細には、データフォーマットに不確実さがあるときの物理チャネルワイヤレス信号のデータ処理に関する。
【背景技術】
【０００２】
ワイヤレス通信システムは当分野でよく知られている。ワイヤレスシステムでの世界規模の接続性を提供するために、標準が策定され、実施されている。普及している１つの現在の標準は、ＧＳＭ(Global System for Mobile Telecommunications)と呼ばれている。これは、いわゆる第２世代モバイルワイヤレスシステム標準（２Ｇ）とみなされ、後にその改訂（２．５Ｇ）が策定された。ＧＰＲＳおよびＥＤＧＥは、（２Ｇ）ＧＳＭネットワークに加えて比較的高速のデータサービスを提供する２．５Ｇ技術の例である。これらの標準はそれぞれ、さらなる機能および強化を加えて先行する標準を改善しようとするものであった。１９９８年１月、欧州電気通信標準化機構特別モバイルグループ（ＥＴＳＩ  ＳＭＧ）は、ユニバーサル移動電話システム（ＵＭＴＳ）という第３世代ワイヤレスシステムのためのワイヤレスアクセス方式に合意した。ＵＭＴＳ標準をさらに実施するため、１９９８年１２月に第３世代パートナーシッププロジェクト（３ＧＰＰ）が結成された。３ＧＰＰは、共通の第３世代モバイルワイヤレス標準に取り組み続けている。
【０００３】
現在の３ＧＰＰ仕様による典型的なＵＭＴＳシステムアーキテクチャを図１に示す。ＵＭＴＳネットワークアーキテクチャは、現在一般に利用可能な３ＧＰＰ仕様文書で詳細に定義されているＩｕと呼ばれるインターフェースを介してＵＭＴＳ陸上ワイヤレスアクセスネットワーク（ＵＴＲＡＮ）と相互接続されるコアネットワーク（ＣＮ）を含む。ＵＴＲＡＮは、Ｕｕと呼ばれるワイヤレスインターフェースを介し、３ＧＰＰでユーザ機器（ＵＥ）と呼ばれるワイヤレス送受信ユニット（ＷＴＲＵ）によってユーザにワイヤレス通信サービスを提供するように構成される。ＵＴＲＡＮは、１つまたは複数のワイヤレスネットワーク制御装置（ＲＮＣ）、および３ＧＰＰでノードＢと呼ばれる基地局を備え、それらが、総体として、ＵＥとのワイヤレス通信の地理的カバーエリアを提供する。１つまたは複数のノードＢが、３ＧＰＰでＩｕｂと呼ばれるインターフェースを介して各ＲＮＣに接続される。ＵＴＲＡＮは、異なるＲＮＣに接続された、いくつかのノードＢグループを備えることができる。図１に示す例には２つのグループが示されている。ＵＴＲＡＮにおいて複数のＲＮＣが設けられる場合、ＲＮＣ間通信はＩｕｒインターフェースを介して行われる。
【０００４】
ネットワークコンポーネントへの外部の通信は、Ｕｕインターフェースを介したユーザレベルのノードＢ、および外部システムへの様々なＣＮ接続を介したネットワークレベルのＣＮによって行われる。
【０００５】
一般に、ノードＢなどの基地局の主要な機能は、基地局のネットワークとＷＴＲＵの間のワイヤレス接続を提供することである。通常、基地局は、非接続ＷＴＲＵが基地局のタイミングと同期されるようにする共通チャネル信号を発する。３ＧＰＰでは、ノードＢは、ＵＥとの物理的ワイヤレス接続を行う。ノードＢは、ＲＮＣからＩｕｂインターフェースを介して、Ｕｕインターフェースを介してノードＢによって送信されるワイヤレス信号を制御する信号を受信する。
【０００６】
ＣＮはその正しい宛先まで情報を経路指定する役割を果たす。例えば、ＣＮは、ノードＢの１つを介してＵＭＴＳによって受け取られるＵＥからの音声トラフィックを公衆交換電話網（ＰＳＴＮ）へ、またはインターネットに向けられたパケットデータを経路指定することができる。３ＧＰＰにおいて、ＣＮは６つの主要なコンポーネント、すなわち、１）サービス提供汎用パケットワイヤレスサービス（ＧＰＲＳ）サポートノード、２）ゲートウェイＧＰＲＳサポートノード、３）境界ゲートウェイ、４）ビジタロケーションレジスタ、５）モバイルサービス交換局、および６）ゲートウェイモバイルサービス交換局を持つ。サービス提供ＧＰＲＳサポートノードは、インターネットなど、パケット交換ドメインへのアクセスを可能にする。ゲートウェイＧＰＲＳサポートノードは、他のネットワークへの接続のためのゲートウェイノードである。他の事業者のネットワークまたはインターネットに向かうすべてのデータトラフィックは、ゲートウェイＧＰＲＳサポートノードを通る。境界ゲートウェイは、ネットワーク外部の侵入者による、ネットワーク領域内の加入者に対する攻撃を防止するファイアウォールとして働く。ビジタロケーションレジスタは、サービスを提供するのに必要とされる、加入者データの現在のサービス提供ネットワークの「コピー」である。この情報は、最初、モバイル加入者を管理するデータベースからもたらされる。モバイルサービス交換局は、ＵＭＴＳ端末からネットワークへの「回線交換」接続を担当する。ゲートウェイモバイルサービス交換局は、加入者の現在位置に基づいて必要とされる経路指定機能を実施すると共に、外部ネットワークの加入者からの接続要求を受け取り、管理する。
【０００７】
ＲＮＣは、一般に、ＵＴＲＡＮの内部機能を制御する。ＲＮＣは、ノードＢとのＵｕインターフェース接続を介したローカルコンポーネント、および、例えば、国内のＵＭＴＳの携帯電話から行われる国際電話など、ＣＮと外部システムの間の接続を介した外部サービスコンポーネントを備える、通信のための仲介サービスも提供する。通常、ＲＮＣは、複数の基地局を統括し、ノードＢによってサービス提供される地理的なワイヤレス電波サービスカバーエリア内のワイヤレスリソースを管理し、Ｕｕインターフェースのための物理的ワイヤレスリソースを制御する。３ＧＰＰにおいて、ＲＮＣのＩｕインターフェースは、ＣＮへの２つの接続を提供する。その一方はパケット交換ドメインへの接続であり、他方は回線交換ドメインへの接続である。ＲＮＣの他の重要な機能には、機密性および保全性保護が含まれる。
【０００８】
３ＧＰＰ通信システムのＵｕワイヤレスインターフェースは、ユーザデータの転送およびＵＥとノードＢの間のシグナリングにトランスポートチャネル（ＴｒＣＨ）を使用する。３ＧＰＰ通信において、ＴｒＣＨデータは、相互に排他的な物理リソースによって定義される１つまたは複数の物理チャネルによって伝達される。ＴｒＣＨデータは、トランスポートブロックセット（ＴＢＳ）として定義される連続したトランスポートブロック（ＴＢ）のグループの形で転送される。各ＴＢＳは、複数の連続したシステムタイムフレームにまたがり得る所与の送信時間間隔（ＴＴＩ）で送信される。典型的なシステムタイムフレームは１０ミリ秒であり、ＴＴＩは、現在、１、２、４または８個のそのようなタイムフレームにまたがるものとして指定される。そのような信号の受信機の詳細については２００３年１０月２３日の公開番号ＵＳ−２００３−０１９８２１０−Ａ１として公開された「RECEIVING STATION FOR CDMA WIRELESS SYSTEM AND METHOD」に記載されている（例えば、特許文献１参照）。
【０００９】
図２は、３ＧＰＰ  ＴＳ２５．２１２ｖ４．１．０による、周波数分割複信（ＦＤＤ）モードのアップリンクＴｒＣＨの送信に備えた、コード化複合ＴｒＣＨ（ＣＣＴｒＣＨ）、次いで、１つまたは複数の物理チャネルデータストリームへの処理を示す。データのＴＢから開始して、巡回冗長検査（ＣＲＣ）ビットが付加される。次いで、ＴＢ連結およびコードブロックセグメント化が行われる。次いで、畳み込みコード化またはターボコード化の形でのチャネルコード化が行われるが、場合によってはコード化が指定されないこともある。コード化後のステップには、ワイヤレスフレーム等化、第１のインターリービング、ワイヤレスフレームセグメント化およびレートマッチングが含まれる。ワイヤレスフレームセグメント化は、指定されたＴＴＩ中のフレーム数にわたってデータを分割する。レートマッチング機能は、ビット繰り返しまたはパンクチャリングによって動作し、後でＣＣＴｒＣＨデータストリームを形成するように多重化される各処理ＴｒＣＨごとのビット数を定義する。
【００１０】
ＣＣＴｒＣＨデータストリームの処理は、複数の物理チャネルが使用されるときには、物理チャネルセグメント化、第２のインターリービング、およびＴＦＣごとのＴＴＩに使用される１つまたは複数の物理チャネルへのマッピングを含む。数の物理チャネルは、物理チャネルセグメント化に対応する。次いで、各物理チャネルデータストリームが、フォーマットが定義されたチャネル化コードおよび拡散ファクタを用いて拡散され、割り当てられた周波数でのオーバエアー送信のために変調される。
【００１１】
ＦＤＤアップリンクにおいて、数の物理チャネルおよびＣＣＴｒＣＨごとのそれぞれの拡散パラメータは、送信される瞬間データ量に基づき、各ＴＴＩごとにレートマッチングアルゴリズムによって選択される動的リンクパラメータである。これらの２つのパラメータが取り得る値の範囲は、リンクセットアップ時にネゴシエートされる、許容されるトランスポートフォーマット組み合わせ（ＴＦＣ）によって制限される。許容される組み合わせのセットは、トランスポートフォーマット組み合わせセット（ＴＦＣＳ）と呼ばれる。所与のＣＣＴｒＣＨに選択されるＴＦＣは、使用されるＰｈＣＨの数、各ＰｈＣＨごとのそれぞれの拡散コードおよび拡散ファクタを定義する。この情報は、ＴＦＣに従ってフォーマットされるデータと同じフレームで、トランスポートフォーマット組み合わせ標識（ＴＦＣＩ）によって送信され得る。しかしながら、３ＧＰＰ仕様は、ＴＦＣＩの送信が省略されることも許容している。ＴＦＣＩが送信される場合、ＴＦＣＩデータビットが、第２のインターリービング後に各物理チャネルにマップされるＣＣＴｒＣＨデータに選択的に付加される。３ＧＰＰシステムのためのＴｒＣＨフォーマットの例は、提供されている（非特許文献１参照）。
【００１２】
ＴｒＣＨデータの受信／復号化では、処理は、基本的に、受信局によって反転される。したがって、ＵＥおよびノードＢのＴｒＣＨの物理的受信は、ＴＢＳデータを再構築するためのＴｒＣＨ処理パラメータの知識を必要とする。受信局処理は、ＣＣＴｒＣＨのＴＦＣＩの送信によって円滑化される。３ＧＰＰは、ＴＦＣＩが送信されない場合などには、受信局による「ブラインドトランスポートフォーマット検出」（ＢＴＦＤ）を設け、その場合受信局は、受け取られる特定の種類のチャネルでの潜在的な有効ＴＦＣＩを考慮する。１つの有効ＴＦＣＩだけしかない場合には、いずれにしてもそのＴＦＣＩが使用される。
【００１３】
ＵＭＴＳ  Ｗ−ＣＤＭＡアップリンク送信の場合、信号は、複数の物理チャネルにおいてノードＢ基地局によって複数のＵＥから受け取られる。各物理チャネルにおけるデータは、拡散された形で受け取られ、逆拡散されなければならない。受信機の物理チャネル（ＰｈＣＨ）部分が逆拡散を実行し、各ＰｈＣＨは、その特定のチャネルのために送信機によって使用される拡散コードに基づき、受信チップレートプロセッサ（ＲＣＲＰ）を使って逆拡散される。データチャネル逆拡散の後、処理は、通常、第２のデインターリービング段から開始し、各物理チャネルからのデータがそれぞれのにデインターリービングされる。
【００１４】
各ＰｈＣＨの逆拡散およびそれぞれの第２のデインターリービングはシステムにとって遅滞なく達成され、その場合、ＰｈＣＨの数、ならびに各ＰｈＣＨごとのそれぞれの拡散ファクタおよび拡散コードは知られている。しかしながら、３ＧＰＰ  ＦＤＤアップリンクなどのワイヤレス通信では、ＣＣＴｒＣＨごとの数の物理チャネルおよびそれぞれの拡散ファクタおよび拡散コードは動的パラメータであり、あるフレームでのそれらの正確な値は、その同じフレーム内で、暗黙的に、またはＴＦＣＩを含めることにより明示的に搬送される。
【００１５】
ＣＣＴｒＣＨを搬送する物理チャネルのデータ処理では、トランスポートフォーマットに関する情報が利用できないことは厄介な問題である。３ＧＰＰシステムで通信データをデータ処理する既存の方法を使用するために、各フレームごとのチップサンプルの形での未拡散データがメモリにバッファされ、１タイムフレーム期間の遅延を作り出すことができる。次いで、バッファされたフレーム内の送信ＴＦＣＩを評価することにより、または短い時間部分を付加するＢＴＦＤによって、拡散ファクタ、コードおよび数の物理チャネルが決定される。次いで、決定された拡散ファクタ、拡散コードおよび数の物理チャネルに基づいて、バッファされたフレームのチップサンプルがＲＣＲＰを使って逆拡散され、第２のデインターリービングのための各物理チャネルごとのデータが生成される。
【００１６】
デインターリービング処理を行うために、デインターリーバは、逆拡散されたデータフレーム全体を必要とする。ゆえに、デインターリービングが開始される前に、第２の１タイムフレーム期間の遅延が必要とされる。この処理は、実質的に２タイムフレーム期間の処理遅延を含むだけでなく、チップサンプルの全フレームのバッファは、相当な量のメモリを必要とし、特に、サンプリングが２回で行われる場合、チップレートおよび受信信号は、３ＧＰＰシステムによくみられるように、同相と直交位相両方の成分で処理される。
【００１７】
【特許文献１】米国特許出願第１０／４１７５８６号明細書
【非特許文献１】TR 25.944 V4.1.0
【発明の開示】
【発明が解決しようとする課題】
【００１８】
トランスポートフォーマットの知識が利用できないときに複合チャネルの効率のよいデータ処理を行うことのできる受信機を提供することが望ましい。特に、チップサンプルの全フレームのバッファ、およびそのような信号を処理する際の特有の２回のフレーム遅延を回避すれば、極めて有益である。
【課題を解決するための手段】
【００１９】
本発明は、通信データの具体的なフォーマットの事前知識が利用できない場合に、受信ワイヤレス通信信号を時間／リソース効率的にデータ処理するコンポーネントおよび方法を提供する。
【００２０】
本発明は、選択されたチャネルでの通信データが、１組の予め決められたフォーマットの中から選択されるフォーマットのシステムタイムフレームで送信されるワイヤレス通信システムで使用するために構成されるワイヤレス送受信ユニット（ＷＴＲＵ）で実施される。各フレームごとの通信データは、フォーマットが定義された数の物理チャネルへのセグメント化によってそのタイムフレームに選択されるフォーマットでの送信のために準備され、続いて各物理チャネルごとにデータがインターリービングされ、続いて各物理チャネルごとのインターリービングされたデータが、そのタイムフレームの選択されたフォーマットによって指定されるすべての物理チャネルでのそれぞれの拡散データがそのタイムフレームでワイヤレス信号として送信されるように、フォーマットが定義されたそれぞれの拡散コードおよびフォーマットが定義されたそれぞれの拡散ファクタを使って拡散される。いくつかのそのようなシステムでは、１組の予め決められたフォーマットの他のすべてのフォーマットの物理チャネルすべてに定義される拡散コードのサブセットである、１組の予め決められたフォーマットのフォーマットの１つの物理チャネルに定義される最小拡散コードなどのキーシーケンスが存在する。
【００２１】
ＷＴＲＵは、受信機、メモリ、受信チップレートプロセッサ（ＲＣＲＰ）、フォーマット検出器およびデインターリーバを備える。受信機は、拡散データのワイヤレス信号の連続フレームを受信するように構成される。ＲＣＲＰは、好ましくは、最小拡散コードまたは他の適当なキーシーケンスを使って、各タイムフレームで受け取られる各拡散データのワイヤレス信号を逆拡散し、結果として生じる各それぞれのタイムフレームごとの逆拡散データをメモリに格納するように構成される。フォーマット検出器は、好ましくは、各それぞれのタイムフレームごとの受信信号の処理に基づいて、各タイムフレームで受け取られる拡散データのワイヤレス信号の数の物理チャネルおよび各物理チャネルごとのそれぞれの拡散ファクタを決定するように構成される。デインターリーバは、好ましくは、それぞれのタイムフレームについてフォーマット検出器によって決定される数の物理チャネルおよび各物理チャネルごとのそれぞれの拡散ファクタに基づいて、各それぞれのタイムフレームごとにＲＣＲＰによって逆拡散される格納データを、決定される数の物理チャネルにデインターリービングするように構成される。
【００２２】
好ましくは、ＷＴＲＵは、周波数分割複信（ＦＤＤ）アップリンク通信信号を受信するノードＢとして構成され、１組の予め決められたフォーマット内で定義される少なくとも２つの異なる長さのフォーマットが定義された拡散コードが存在し、１組の予め決められたフォーマットのすべてのフォーマットが定義された拡散コードは、最小拡散コードの１つまたは複数の繰り返しからなり、または最小拡散コードと同じ長さである。特に、ＲＣＲＰは、好ましくは、そのそれぞれの受信フレームのＣＣＴｒＣＨの種類のために、最高のデータ転送速度を持つそれぞれの選択ＴＦＣを使って、それぞれ予め決められたＴＦＣのＴＦＣＳを持つ複数の種類のＣＣＴｒＣＨを逆拡散するように構成され、フォーマット検出器は、それぞれのフレームのデータをフォーマットする際に使用された実際のＴＦＣを決定するように構成される。その送信データフレームのＴＦＣを反映するＴＦＣＩが各データフレーム内で送信される場合、フォーマット検出器は、好ましくは、各データフレームのＴＦＣＩを検出する。あるいは、フォーマット検出器は、ブラインドコードフォーマット検出も実施する。
【００２３】
これらのメモリ、ＲＣＲＰ、フォーマット検出器およびデインターリーバコンポーネントを用いて特定用途向け集積回路（ＡＳＩＣ）が構成される。
【００２４】
選択されたチャネルでの通信データが、１組の予め決められたフォーマットの中から選択されるフォーマットのシステムタイムフレームで送信されるワイヤレス通信の方法が提供される。この方法は、拡散データのワイヤレス信号の連続フレームを受信することを含む。各タイムフレームで受け取られる各拡散データのワイヤレス信号は、最小拡散コードまたは他の適当なキーシーケンスを使って逆拡散される。結果として生じる各それぞれのタイムフレームごとの逆拡散データはメモリに格納される。各タイムフレームで受け取られる拡散データのワイヤレス信号の数の物理チャネルおよび各物理チャネルごとのそれぞれの拡散ファクタは、各それぞれのタイムフレームごとの受信信号の処理に基づいて決定される。各それぞれのタイムフレームごとにＲＣＲＰによって逆拡散される格納データは、それぞれのタイムフレームについて決定される数の物理チャネルおよび各物理チャネルごとのそれぞれの拡散ファクタに基づいて、決定される数の物理チャネルにデインターリービングされる。受信信号が周波数分割複信（ＦＤＤ）アップリンク通信信号であり、１組の予め決められたフォーマット内で定義される少なくとも２つの異なる長さのフォーマットが定義された拡散コードが存在し、１組の予め決められたフォーマットのすべてのフォーマットが定義された拡散コードが、最小拡散コードの１つまたは複数の繰り返しからなり、または最小拡散コードと同じ長さである場合、最小拡散コードが逆拡散に使用される。それぞれの受信フレームのＣＣＴｒＣＨの種類のために、それぞれ予め決められたＴＦＣのＴＦＣＳを持つ複数の種類のＣＣＴｒＣＨが、最高のデータ転送速度を持つそれぞれの選択ＴＦＣを使って逆拡散される場合、好ましくは、各タイムフレームで受け取られる拡散データのワイヤレス信号の数の物理チャネルおよび各物理チャネルごとのそれぞれの拡散ファクタを決定するために、それぞれのフレームのデータをフォーマットする際に使用された実際のＴＦＣが検出される。その送信データフレームのＴＦＣを反映するＴＦＣＩが各データフレーム内で送信される場合、フォーマットは、好ましくは、各データフレームのＴＦＣＩを検出することによって決定される。あるいは、各フレームごとの実際のＴＦＣは、ブラインドコードフォーマット検出によっても検出される。
【００２５】
他の目的および利点は、以下の詳細な説明を読めば当分野の技術者には明らかになるであろう。
【発明を実施するための最良の形態】
【００２６】
本発明を、図面を参照して説明する。図面全体を通して、類似の番号は類似の要素を表す。基地局、ワイヤレス送受信ユニット（ＷＴＲＵ）およびモバイルユニットという用語はその一般的な意味で使用される。本明細書で使用される基地局という用語には、それだけに限らないが、基地局、ノードＢ、サイト制御装置、アクセスポイント、または、基地局が関連付けられているネットワークへのワイヤレスアクセスをＷＴＲＵに提供するワイヤレス環境における他のインターフェース機器が含まれる。
【００２７】
本明細書で使用されるＷＴＲＵという用語には、それだけに限らないが、基地局、ユーザ機器（ＵＥ）、移動局、固定または移動加入者ユニット、ページャ、またはワイヤレス環境で動作することのできる他の任意の種類の機器が含まれる。ＷＴＲＵには、電話機、ビデオ電話機、ネットワーク接続を有するインターネット対応電話機などのパーソナル通信機器が含まれる。さらに、ＷＴＲＵには、ＰＤＡや、類似のネットワーク機能を持つワイヤレスモデムを備えるノート型コンピュータといった携帯式パーソナルコンピューティングデバイスも含まれる。携帯式の、または別の方法で位置を変えることのできるＷＴＲＵは、モバイルユニットと呼ばれる。
【００２８】
本発明の実施形態を、周波数分割複信（ＦＤＤ）モードを利用する第３世代パートナーシッププログラム（３ＧＰＰ）広帯域符合分割多重接続（Ｗ−ＣＤＭＡ）システムと関連させて説明するが、本発明は、選択されたチャネルでの通信データが、１組の予め決められたフォーマットの中から選択されるフォーマットのシステムタイムフレームで送信され、各フレームごとの通信データが、フォーマットが定義された数の物理チャネルへのセグメント化によってそのタイムフレームに選択されるフォーマットでの送信のために準備され、続いて、各物理チャネルごとにデータがインターリービングされ、続いて各物理チャネルごとのインターリービングされたデータが、そのタイムフレームの選択されたフォーマットによって指定されるすべての物理チャネルでのそれぞれの拡散データがそのタイムフレームでワイヤレス信号として送信されるように、フォーマットが定義されたそれぞれの拡散コードおよびフォーマットが定義されたそれぞれの拡散ファクタを使って拡散され、フォーマットが定義された拡散コード間に、送信に使用された１組の予め決められたフォーマットの実際のフォーマットと関係なく、選択される方式で受信ワイヤレス信号を逆拡散するのに利用される関係がある、任意のワイヤレス通信システムに適用可能である。
【００２９】
不完全なフォーマット情報が知られている受信データ信号を処理する問題を分析するに際して、発明者らは、信号フォーマットに関連する部分的知識が有利に利用され得ることを認めた。特に、３ＧＰＰ  ＦＤＤアップリンクなどのワイヤレス通信において、発明者らは、定義された拡散コードの事前定義された関係が、受信データ信号の時間／リソース効率的な処理のシステムのための基礎を形成し得ることを認めた。発明者らは、いくつかのフォーマットセットでの特定のフォーマットに関係なく、キーシーケンスが逆拡散に使用され得ることを認めた。
【００３０】
３ＧＰＰ  ＦＤＤアップリンク通信において、１つのＵＥによって複数のデータＰｈＣＨが使用されるとき、それらはすべて、拡散ファクタ４を持つように制約され、使用される拡散コードは、ＰｈＣＨのインデックスに従って事前決定される。これらの符合は、３ＧＰＰ  ＴＳ２５．２１３バージョン４．１．０パート４．３．１．２で定義されており、特に、ＤＰＤＣＨ１には拡散コード｛＋１，＋１，−１，−１｝が割り当てられている。マルチコードが使用されないとき、物理データチャネル（ＰｈＣＨ）の拡散コードは、ビットパターン｛＋１，＋１，−１，−１｝のいくつかの周期的繰り返しから成るように定義され、これらの繰り返しの回数は、拡散ファクタを４で割ったものに等しい。ゆえに、３ＧＰＰ  ＦＤＤアップリンクでマルチコードが使用されない場合、拡散コードは、たとえどんな実際の拡散ファクタが使用されようとも、拡散ファクタ４に使用される最小拡散コードと本質的に同等である。
【００３１】
拡散コードの関係により、発明者らは、たとえ信号が、実際には、ＴＦＣＳの異なるＴＦＣに従ってフォーマットされた場合であっても、最高のデータ転送速度を持つＴＦＣが選択され、ＲＣＲＰが受信拡散信号を処理する際に有利に使用できることを認めた。各ＴＦＣＳごとに、常に、そのＴＦＣＳのその他のＴＦＣすべてのデータ転送速度と等しく、またはそれらより高いデータ転送速度を持つ少なくとも１つのＴＦＣがある。３ＧＰＰ  ＦＤＤアップリンクにおいて、ＴＦＣが複数のＰｈＣＨを定義している場合、そのＴＦＣは、そのようなデータ転送速度を持ち、最高のデータ転送速度を持つＴＦＣとして選択される。そうでない場合、単一のＰｈＣＨチャネルを定義するＴＦＣが、最高のデータ転送速度を持つＴＦＣとして選択される。その結果、各タイムフレームごとのワイヤレス拡散信号のＲＣＲＰ処理は、最小拡散コードを用いたそのフレームの少なくとも一部の処理を含むことになり、結果として、送信に先立つ第２のインターリービングプロセス前に構成していた送信データを再現するように選択的にデインターリービングされ得る逆拡散データが生じる。
【００３２】
図３を参照すると、本発明の教示によるＷＴＲＵ１０のコンポーネントが示されている。好ましい実施形態では、ＷＴＲＵ１０は、１つまたは複数のＵＥからＦＤＤモードで通信信号２０を受信する３ＧＰＰのノードＢとして構成される。ＷＴＲＵは、選択的にフォーマットされるワイヤレス信号２０の連続タイムフレームを受信するアンテナシステム３０を含む。アンテナシステム３０を介して受け取られるワイヤレス信号２０を処理するために、受信チップレートプロセッサ（ＲＣＲＰ）を含む物理チャネル処理受信側コンポーネント３２が設けられる。
【００３３】
ＷＴＲＵ１０は、選択されたチャネルでの通信データが、１組の予め決められたフォーマットの中から選択されるフォーマットのシステムタイムフレームで送信され、各フレームごとの通信データが、フォーマットが定義された数の物理チャネルへのセグメント化によってそのタイムフレームに選択されるフォーマットでの送信のために準備され、続いて各物理チャネルごとにデータがインターリービングされ、続いて各物理チャネルごとのインターリービングされたデータが、そのタイムフレームの選択されたフォーマットによって指定されるすべての物理チャネルでのそれぞれの拡散データがそのタイムフレームでワイヤレス信号として送信されるように、フォーマットが定義されたそれぞれの拡散コードおよびフォーマットが定義されたそれぞれの拡散ファクタを使って拡散され、ＷＴＲＵ１０との通信の開始によってワイヤレス信号のフォーマッティングの一部の知識が知られる場合に使用するように設計される。特に、ＲＣＲＰは、送信に使用された事前定義フォーマットセットの実際のフォーマットに関係なく、フォーマットが定義された拡散コード間の関係を利用して、選択される方式で各タイムフレームごとに受信ワイヤレス信号を逆拡散するように構成される。選択的に処理される逆拡散信号データは、それが、物理チャネル処理受信側コンポーネント３２のＲＣＲＰによって生成される際にメモリ３４に格納される。
【００３４】
フォーマット検出器３６は、そのタイムフレームで送信される、３ＧＰＰシステムにおけるＴＦＣＩなどのフォーマット識別データの処理によって、またはＲＣＲＰによって生成される逆拡散データに基づくことのできるそのタイムフレームでの受信データ信号の特性に基づくブラインドフォーマット検出によって、送信用に特定のタイムフレームにデータを準備する際に使用された実際のフォーマットを決定するために設けられる。
【００３５】
デインターリーバ３８は、ＲＣＲＰによって生成される逆拡散データをデインターリービングするために設けられる。従来の受信機の場合と同様に、デインターリーバ３８は、タイムフレーム全体が逆拡散されるまで待たなければ、デインターリービングプロセスを開始することができない。しかしながら、特定のデータフォーマットが知られており、または、ＲＣＲＰが受信信号を選択的に逆拡散するのに利用する数の物理チャネルおよびそれぞれの拡散コードおよび拡散ファクタの情報をフォーマット検出器が提供する従来の受信機とは異なり、フォーマット検出器３６は、デインターリーバ３８が、メモリに格納された逆拡散データの各フレームを選択的にデインターリービングするのに利用する数の物理チャネルおよびそれぞれの拡散コードおよび拡散ファクタの情報を提供するようにデインターリーバ３８と関連付けられる。選択的逆拡散の結果は、送信のためのインターリービングの前の実際のフォーマット指定のＰｈＣＨごとのデータの再現である。３ＧＰＰ  ＦＤＤアップリンク信号を受信するように構成されるＷＴＲＵ１０の状況において、デインターリービングは、図２に示す従来の第２のインターリービングステップの逆として機能する。
【００３６】
好ましくは、デインターリーバ３８は、任意の所与のフレームにおいてそのチャネル上でどんなに未処理データが実際に送信されても、その深さが、あらゆる物理チャネルで正確に１フレームに等しくなるように動的に調整されるブロック型のものである。このデインターリーバは、そのフレーム全体が利用可能になるとメモリ３４から物理チャネルのデータを読み取り、再構成データを、好ましくはメモリ３４中の新しいメモリ位置に書き込む、アドレス生成ユニットを備える。
【００３７】
メモリ３４は、好ましくは、アドレス発生器１５によって使用される、第２のデインターリーバ入力データブロック２１および第２のデインターリーバ出力データブロック２２を含む。第２のデインターリーバ入力データブロック２１は、アドレス発生器１５に提供される入力データを保持するのに使用され、第２のデインターリーバ出力データブロック２２は、アドレス発生器１５からの出力データを受け入れる。
【００３８】
好ましくは、ＲＣＲＰ３２は、受け取られるデータチャネルの種類に定義されるセットフォーマットの中からの最悪の（最高のデータの）許容フォーマットに従って各タイムフレームの受信信号２０を逆拡散するように構成される。３ＧＰＰ  ＦＤＤアップリンク通信では、それぞれが独自のＴＦＣＳを持つ数種類のＣＣＴｒＣＨが使用され得る。各ＴＦＣＳに関して、前述のように、最高のデータ転送速度を持つＴＦＣが選択される。次いで、ＲＣＲＰ３４は、あたかもそれぞれのＴＦＣＳの選択されたＴＦＣが実際の構成であるかのように特定の種類のＣＣＴｒＣＨの受信信号２０を処理し、その出力を共用メモリ３４に書き込む。選択されたＴＦＣの拡散コードは正確に知られており、そのため、３ＧＰＰ  ＦＤＤの例での可能な「誤り」は、低すぎることがある拡散ファクタと、多すぎることがあるＤＰＤＣＨの数での誤りだけである。
【００３９】
デインターリーバ３８がその動作を開始する前に、フォーマット復号器３６は、送信されたＴＦＣＩを復号化し、またはブラインドコード検出を使って、送信用データを準備する際に使用された実際のＴＦＣを決定する。次いで、３ＧＰＰ  ＦＤＤアップリンクの例でのＣＣＴｒＣＨデインターリービングは、以下の４つの可能なシナリオの１つに従って進行する。
【００４０】
１．ＲＣＲＰが逆拡散の前にそのＴＦＣを知っていた場合には、ＲＣＲＰが同じ仕方で処理されることになるため、ＣＣＴｒＣＨは、実際に、最悪のＴＦＣに従って構成され、データは、単に、従来の方式でデインターリービングされるだけである。
【００４１】
２．最悪の構成は、ただ１つの、使用された実際の拡散ファクタより高い拡散ファクタの物理チャネルを持つ。この場合、拡散コードの定義された関係により、高い実際の拡散ファクタでの拡散コードは、ＲＣＲＰによってデータを逆拡散するのに使用される最小拡散コードの偶数の繰り返しになる。したがって、ｋ個の隣接するＲＣＲＰ出力データ要素ごとに加算する（平均する）ことによってデインターリービングする前にインテグレート・アンド・ダンプ動作が完了され、その場合、
【００４２】
【数１】
2006527511.tif 000003
【００４３】
は、実際の拡散ファクタと最悪の拡散ファクタとの比である。ゆえに、例えば、最悪のＴＦＣが拡散ファクタ４を要求し、使用された実際の拡散ファクタが８である場合、所与のフレームの各出力対がデインターリービング操作の前に付加される。
【００４４】
３．最悪の構成はより多くの物理チャネルを持ち、実際の構成は拡散ファクタ４のただ１つのチャネルを使用する。この場合、拡散コードの定義された関係により、実際のＴＦＣの拡散コードは、ＲＣＲＰによってデータを逆拡散するのに使用される最小拡散コードと同じになる。この場合、最小拡散コードを使用しない最悪のＰｈＣＨに他の拡散コードを使ってＲＣＲＰによって逆拡散されたデータは廃棄される。
【００４５】
４．最悪の構成は、いくつかの物理チャネルを持ち、実際の構成は、４より高い拡散ファクタのただ１つのチャネルを使用する。（ＳＦｍｉｎ＝４で）２で前述したように、必要な拡散ファクタを実施するために、既存の物理チャネルのデータがさらに付加される。
【００４６】
好ましくは、各ＣＣＴｒＣＨごとの最悪の可能なＴＦＣの組み合わせは、合計システム容量限界を超えることを許容されない。合計容量限界により、結果としてＲＣＲＰ３２とデインターリーバ３８の間のインターフェースにおいて必要とされる合計共用メモリが従来の受信機と同等になる。
【００４７】
デインターリービングプロセスの重要な側面は各操作のタイミングであり、それが図３に一般的に示されている。（番号ｘの）データフレームが、時刻ｔにおいて受信チップレートプロセッサ（ＲＣＲＰ）から到達する先頭であると定義され得る。ゆえに、ｔは、ＲＣＲＰがそのフレームの先頭ビットの処理を完了する時刻である。ＲＣＲＰは、時刻（ｔ＋１フレーム）にフレームｘのデータの書き込みを完了する。この時点で、ＲＣＲＰは、フレームｘ＋１のデータの、メモリ中の異なる位置への書き込みを開始する。フレームｘのデータがメモリに書き込まれると、ＣＣＴｒＣＨ処理、特に、第２のデインターリーバのアドレス発生器が構成され、時刻（ｔ＋１フレーム＋ΔＣＣＴｒＣＨ）にこのデータの処理を開始する。ΔＣＣＴｒＣＨは実装依存の遅延である。
【００４８】
好ましくは、図３に示すデータ処理を実施するコンポーネントは、特定用途向け集積回路（ＡＳＩＣ）など、単一の集積回路上に実装される。しかしながら、この処理の各部分は、複数の別個の集積回路上にも容易に実装される。
【００４９】
以上、本発明を、一例にすぎないが、３ＧＰＰ  ＦＤＤアップリンク通信に適用可能である好ましい実施形態において説明したが、本発明は、本発明の範囲から逸脱することなく、他のスペクトラム拡散シナリオにも等しく適用可能である。
【図面の簡単な説明】
【００５０】
【図１】現在の３ＧＰＰ仕様による典型的なＣＤＭＡシステムを示す概略図である。
【図２】３ＧＰＰ  ＦＤＤ仕様によるＣＣＴｒＣＨのＴｒＣＨデータの処理を示す図である。
【図３】本発明の教示に従って作成される通信局の受信部分を示すブロック図である。
【図１】
2006527511.tif 000004
【図２】
2006527511.tif 000005
【図３】
2006527511.tif 000006